(57)【要約】      （修正有）【課題】花粉症やドライアイの防止用のフードを簡単且つ確実に取り付けることが可能なフード付き眼鏡類を提供する。【解決手段】左右のレンズ１１と、ブリッジ１３、１４と、レンズ１１と、テンプル１５とを備えたメタルフレームの眼鏡類に対して、フード２が着脱可能に取り付けられる。フード２は、一対のレンズ１１の後ろに配されてレンズ１１の周囲と顔面との隙間を覆うフード部２０と、フード部の正面側に設けられて前記ブリッジと対応する嵌合部２５とを備える。嵌合部２５は、ブリッジに着脱自在に嵌め合わせることができ、嵌め合わせにより、眼鏡類に着脱自在に取り付けられる。【選択図】図１
0003179031.tif 000002
【実用新案登録請求の範囲】
【請求項１】
左右のレンズと、前記レンズを支持するメタルフレームとを備えた眼鏡類と、前記眼鏡類に取り付けられるフードとを備えたフード付き眼鏡類において、
前記メタルフレームは、前記左右のレンズの間に設けられたブリッジと、左右のテンプルとを備え、
前記フードは、前記眼鏡類の後方から取り付けられるものであり、
前記フードは、前記レンズの周囲と顔面との間の隙間を覆うフード部と、前記ブリッジに対して後方から着脱可能に嵌め合わされる嵌合部とを備え、
前記嵌合部は、前記ブリッジに着脱自在に嵌め合わせることができ、前記嵌め合わせにより、前記フードを前記眼鏡類へ着脱自在に取り付けることが可能なフード付き眼鏡類。
【請求項２】
前記ブリッジは、上方のブリッジと下方のブリッジとの少なくとも２本が設けられ、
前記嵌合部は、前記上方のブリッジと前記下方のブリッジとの間に後方から強制的に嵌入され、前記嵌合部の先端側が前記ブリッジの前方に突出するものであり、
前記嵌合部は、前記上方のブリッジと当接して前記上方のブリッジを支持する上支持部を備え、前記嵌合部の下面は前記下方のブリッジと当接して前記下方のブリッジを支持する下支持部を備えることを特徴とする請求項１記載のフード付き眼鏡類。
【請求項３】
補助支持部が、メタルフレームの前記レンズを保持するレンズ保持部と、前記フードの少なくとも何れか一方に設けられ、
前記補助支持部は、前記レンズ保持部へ前記フードを嵌合保持させるものであり、
前記補助支持部が、前記嵌合部と共に、前記フードを眼鏡に支持させることを特徴とする請求項２記載のフード付き眼鏡類。
【考案の詳細な説明】
【技術分野】
【０００１】
本願考案は、フード付き眼鏡類の改良に関するものである。
【背景技術】
【０００２】
特許文献１〜３に示されるように、花粉症やドライアイの対策として、眼鏡に対して、その後側（着用者側）に筒状のフード部材を着脱可能に設けることが提案されている。また、スカッシュなどのスポーツの事故や、医療事故を防止するために、フード付きの眼鏡類を用いる場合もある。
【先行技術文献】
【特許文献】
【０００３】
【特許文献１】特許第４０９５８５４号公報
【特許文献２】特開２００５−１８１９２１号公報
【特許文献３】登録実用新案第３１５２４１２号公報
【考案の概要】
【考案が解決しようとする課題】
【０００４】
特許文献１〜３に示されるように、眼鏡類のフレームにフードを着脱可能に支持させるものは種々提案されているが、これらのフレームはプラスチック製のフレームや、特殊な形状のフレームを対象とするものが一般的である。
【０００５】
プラスチック製のフレームでは、厚みや幅が充分にあるため、フードを取り付ける際にも安定性がある。ところが、メタルフレームにあっては、フレームに用いる線材は、数mmの直径しかなく、フードを取り付けても充分な安定性を得ることができない。
【０００６】
そこで、本考案は、眼鏡類のフレームに対して、確実に固定されたフードを有する眼鏡類の提供を目的とする。特に、細い線材を主として用いるメタルフレームの眼鏡類に対しても、確実に取り付けることができ、良好な外観を呈する眼鏡類の提供を目的とする。
【課題を解決するための手段】
【０００７】
請求項１記載の本考案では、左右のレンズと、前記レンズを支持するメタルフレームとを備えた眼鏡類と、前記眼鏡類に取り付けられるフードとを備えたフード付き眼鏡類において、前記メタルフレームは、前記左右のレンズの間に設けられたブリッジと、左右のテンプルとを備え、前記フードは、前記眼鏡類の後方から取り付けられるものであり、前記フードは、前記レンズの周囲と顔面との間の隙間を覆うフード部と、前記ブリッジに対して後方から着脱可能に嵌め合わされる嵌合部とを備え、前記嵌合部は、前記ブリッジに着脱自在に嵌め合わせることができ、前記嵌め合わせにより、前記フードを前記眼鏡類へ着脱自在に取り付けることが可能なフード付き眼鏡類を提供する。
【０００８】
請求項２記載の本考案では、本願の上記請求項１の考案にあって、次の構成を採るフード付き眼鏡類を提供する。
即ち、前記のブリッジは、上方のブリッジと下方のブリッジとの少なくとも２本が設けられ、前記嵌合部は、前記上方のブリッジと前記下方のブリッジとの間に後方から強制的に嵌入され、前記嵌合部の先端側が前記ブリッジの前方に突出するものであり、前記嵌合部は、前記上方のブリッジと当接して前記上方のブリッジを支持する上支持部を備え、前記嵌合部の下面は前記下方のブリッジと当接して前記下方のブリッジを支持する下支持部を備えるものとすることが望ましい。
【０００９】
また、請求項３記載の本考案では、補助支持部が、メタルフレームの前記レンズを保持するレンズ保持部と、前記フードの少なくとも何れか一方に設けられ、前記補助支持部は、前記レンズ保持部へ前記フードを嵌合保持させるものであり、前記補助支持部が、前記嵌合部と共に、前記フードを眼鏡に支持させることを特徴とする請求項２記載のフード付き眼鏡類を提供する。
【００１０】
本考案における眼鏡類は、眼鏡、サングラス、ゴーグルなど種々の眼鏡類に適用できる。具体的には、一般の視力矯正用の眼鏡の他、ファッション用サングラス、スポーツ用サングラス、スポーツ用ゴーグル、ドライアイ対策用眼鏡、花粉症対策用眼鏡、防塵用眼鏡、医療用眼鏡などとして実施し得る。さらに、普段使っている通常の眼鏡やサングラスの上から、本考案における眼鏡類を掛けるようにしてもよい。この場合には、本考案における眼鏡類のレンズは度付きでない方が好ましい。
【考案の効果】
【００１１】
本考案は、フードを、左右のレンズやリムへ一体に取り付けることができる。特に、本考案では、嵌合部をブリッジへ着脱可能に取り付けることができるため、メタルフレームに対しても、フードの安定した取り付け状態を実現することができる。
【００１２】
特に、請求項２記載の本考案は、上下２つのブリッジによって、前記嵌合部を強制的に挟むことにより、嵌合部の上支持部を上方のブリッジへ支持させ、嵌合部の下支持部を下方のブリッジへ支持させることにより、前記フードを外れ難いものとした。より具体的には、請求項２記載の本考案では、強制的に嵌入した嵌合部により、上方のブリッジと下方のブリッジとに挟まれた嵌合部が上方のブリッジと下方のブリッジとを押し返して確実に両ブリッジを支持し、フードを眼鏡類へ強固に固定する。
【００１３】
また、請求項３記載の本考案は、補助支持部を付加することにより、フードをより確実に眼鏡へ取り付けることができる。
【図面の簡単な説明】
【００１４】
【図１】本願考案の一実施の形態に係る眼鏡におけるフード取り付け前の主として正面側の状態を示す斜視図。
【図２】本願考案の一実施の形態に係る眼鏡におけるフード取り付け前の主として背面側の状態を示す斜視図。
【図３】（Ａ）は前記眼鏡への取り付け前のフードの側面図、（Ｂ）は前記フード取り付け後の前記眼鏡の正面図、（Ｃ）は（Ｂ）のＸ−Ｘ拡大断面図。
【図４】（Ａ）はフード取り付け後の前記眼鏡の主として正面側の状態を示す斜視図。（Ｂ）はフード取り付け後の前記眼鏡の主として背面側の状態を示す斜視図。
【考案を実施するための形態】
【００１５】
以下、図面に基づき本願考案の実施の形態を説明する。
図１〜図４へ示す通り、この実施の形態に係る眼鏡類は、フード２を有するメタルフレームの眼鏡１である。眼鏡１は、左右一対のレンズ１１と、レンズ１１を保持する左右のリム１２と、上下のブリッジ１３，１４と、左右一対のテンプル１５と、ヒンジ１６とを備える。前記フード２は、眼鏡１と別体に形成され、眼鏡１へ着脱自在に取り付けられる。
以下、各部の構成について、順に説明する。
【００１６】
左右のレンズ１１は、前記リム１２によって保持されている。即ち、リム１２は、レンズ１１の外周に設けられてレンズ１１を取り囲むように保持するレンズ保持部である。左のレンズ１１は、左のリム１２に保持され、右のレンズ１１は、右のリム１２に保持されている。
【００１７】
この眼鏡１は、ダブルブリッジのメガネであり、左右のリム１２間に、前記上下のブリッジ１３，１４が介され、左右のリム１２はブリッジ１３，１４へ一体に連結されている。即ち、左右レンズ１１は、上下のブリッジ１３，１４にて一体に結合されている。
【００１８】
下方のブリッジ１４は、上方のブリッジ１３の下方へ間隔を開けて設けられている。上方のブリッジ１３と下方のブリッジ１４と左右のリム１２にて囲まれた空間ｋが、後述する嵌合部２５を受容する、被破合部を構成する。
【００１９】
この眼鏡１は、鼻に当接するノーズパッドと前記ノーズパッドをリム１２に支持させるクリングスとを備えない。即ち、この眼鏡１では、フード２を外した状態でこの眼鏡１を掛けると、下方のブリッジ１４が鼻と当接する。
【００２０】
前記テンプル１５は、左のリム１２の左側と右のリム１２の右側との夫々に連結されている。具体的には、左右のテンプル１５は、リム１２の夫々へ前記ヒンジ１６を介して、リム１２に対し開閉自在に取り付けられている。テンプル１５は、開いた状態にして耳へ掛けられる。
【００２１】
フード２は、前記の通り、眼鏡１と別体に形成されている。フード２は、前記左右一対のレンズの後方に配されて前記レンズの周囲と顔面との間の隙間を覆うフード部２０と、前記フード部２０の正面側に設けられて前記ブリッジ１３，１４と対応する結合部２４とを備える。フード２は、ゴム、ウレタン或いはプラスチックにて形成された、弾力性を有する柔軟な部材である。
【００２２】
図１及び図２へ示す通り、フード部２０は、レンズ１１と対応する左右のレンズ受部２１を備える。
左右のレンズ受部２１は、眼鏡１のリム１２と共にレンズ１１を収容する貫通部２２を有する。レンズ受部２１は、この貫通部２２周辺に、リム１２と当接する当接部２３が設けられている。当接部２３は、眼鏡１の後方からフード２を取り付ける際に、リム１２と当接し、レンズ１１及びリム１２がフード２の前方へ通り抜けるのを防止する当たりである。
【００２３】
フード部２０には、左右の前記ヒンジ１６を収容する、左右一対の切欠部２６が設けられている。この実施の形態において、眼鏡１の左右のヒンジ１６の夫々は眼鏡１の内側に突出する構成部材を上下２か所に備え、前記構成部材に対応して、フード部２０の左右夫々において、切欠部２６は上下２か所に設けられている。但し、ヒンジ１６の構成は前記以外に変更可能であり、左右方向について眼鏡１の内側へ突出するヒンジ１６の前記構成部材の数の変更に応じて、切欠部２６の数も変更可能である。
フード部２０の背面側は、後方へ隆起し鼻と当接する鼻掛け部２７を備える。
前記の結合部２４は、左右のレンズ受部２１の間に設けられて左右のレンズ受部２１を連結する。
【００２４】
結合部２４の正面側は、フード２の前方へ突出する嵌合部２５を備える。正面視において、嵌合部２５は、眼鏡１の前記上下のブリッジ１３，１４と左右のリム１２に囲まれた空間ｋと対応する形状を備える。
【００２５】
図４（Ａ）へ示す通り、嵌合部２５は、眼鏡１の前記ブリッジへ即ち上下のブリッジ１３，１４間へ、眼鏡１の後方から強制的に嵌め合わせることができる。前記嵌め合わせにより、図３（Ｂ）及び図４（Ａ）（Ｂ）へ示す通り、フード２を眼鏡１へ着脱自在に取り付けることができる。
【００２６】
即ち、嵌合部２５は、上方のブリッジ１３と下方のブリッジ１４との間へ、後方から強制的に嵌入されて、その先端側を両ブリッジ１３，１４の前方に突出させるものである（図３（Ｂ）（Ｃ））。
【００２７】
嵌合部２５の上面は上方のブリッジ１３の下面と当接して前記上方のブリッジを支持する上支持部２５ａを構成し、嵌合部２５の下面は下方のブリッジ１４の上面と当接して前記下方のブリッジ１４を支持する下支持部２５ｂを構成する。更に、正面視において、嵌合部２５の左側面は前記左のリム１２と当接して前記左のリム１２を支持する左支持部２５ｃを構成し、嵌合部２５の右側面は前記右のリム１２と当接して前記右のリム１２を支持する右支持部２５ｄを構成する。
【００２８】
上支持部２５ａは上方のブリッジ１３に沿って左右に伸び、下支持部２５ｂは下方のブリッジ１４に沿って左右に伸びる。また、左支持部２５ｃは上下のブリッジ１３，１４の間において左のリム１２に沿って伸び、右支持部２５ｄは、ブリッジ１３，１４の間において右のリム１２に沿って伸びる。
【００２９】
嵌合部２５の前記の強制嵌合により、嵌合部２５は上下のブリッジ１３，１４間で突っ張り、上支持部２５ａは上方のブリッジ１３を押圧し、下支持部２５ｂは下方のブリッジ１４を押圧する。また、左支持部２５ｃは左のリム１２を押圧し、右支持部２５ｄは右のリム１２を押圧する。
この実施の形態の眼鏡類は、前記嵌合部２５と共にフード２を眼鏡１へ固定する、補助支持部を備える。
図１へ示す通り、前記の補助支持部は、前記左右リム１２に設けられた左右の突起１７にて構成されている。
【００３０】
眼鏡１の正面視において、前記左の突起１７は前記ブリッジ１３，１４よりも前記左のヒンジ１６寄りに設けられ、前記右の突起１７は前記ブリッジ１３，１４よりも前記右のヒンジ寄りに設けられている。
【００３１】
より具体的には、図２へ示す通り、この実施の形態では、前記左の突起１７は、前記左のリム１２におけるレンズ１１より上方の部分に設けられた左上突起１７ａと、左のリム１２におけるレンズ１１より下方の部分に設けられた左下突起１７ｂとからなる。前記右の突起１７は、前記右のリム１２におけるレンズ１１より上方の部分に設けられた右上突起１７ｃと、右のリム１２におけるレンズ１１より下方の部分に設けられた右下突起１７ｄとからなる。各突起１７ａ，１７ａ，１７ｃ，１７ｄは、リム１２から後方へ突出する。フード２は、前述の嵌合部２５のブリッジへの強制嵌合と共に、前記突起１７ａ，１７ｂ，１７ｃ，１７ｄにて構成された補助支持部への強制嵌合によって、眼鏡１へ取り付けられる。
眼鏡１へのフード２の取り付けによりフード部２０へ嵌められる。
【００３２】
前記各突起１７ａ，１７ｂ，１７ｃ，１７ｄは、中空であり上下に開口する環状のものを図示したが、このような形態に限定するものではなく、リム１２から後方へ突出して、フード２を掛けることができるものであれば、他の形状を採るものとしても実施できる。
【００３３】
また、図示はしないが、前記補助支持部の構成要素として、フード２側にも前記各各突起１７ａ，１７ｂ，１７ｃ，１７ｄの中空部分と嵌合可能な突起部を設けて、前記突起部の夫々を突起１７ａ，１７ｂ，１７ｃ，１７ｄへ嵌めることにより、フード２の眼鏡１への装着をより確実なものとすることも可能である。
【００３４】
更には、フード２へ、前記突起１７ａ，１７ｂ，１７ｃ，１７ｄと共にピンやネジなどの固定具にて突き通される部分を設けて、フード２の眼鏡１への装着を更に強固なものとすることができる。
また、前記突起部に代え、フード部２０へ前記突起１７ａ，１７ｂ，１７ｃ，１７ｄを差し込む溝を設けて実施してもよい。
前記の実施の形態の眼鏡は、ブリッジを上下２つ備えるダブルブリッジとした。この他、ブリッジは、３つ以上であっても、１つであっても実施可能である。
ブリッジを１つとする場合、嵌合部２５は、凹状の後退部とし、ブリッジを上下から挟む構成を採るものとすればよい。
【００３５】
前記の実施の形態の眼鏡のフレームは、突起１７ａ，１７ｂ，１７ｃ，１７ｄなどの補助支持部を設けたが、フレーム側には突起などを設けずに、市販の通常のメタルフレームを用いることも可能であり、これらの通常のメタルフレーム（特に、ダブルブリッジのメタルフレーム）に対して、本願のフードを装着して用いるようにしてもよい。
前記の実施の形態の眼鏡は、リムを備えるものとしたが、リムを備えないものとし、ブリッジが直接レンズを連結するものとしても実施できる。また、リムを備える場合も、リムは、レンズの上部のみに設けられたものとしたり、逆にレンズの下部のみに設けられるものとしても実施できる。
【００３６】
前記において、補助支持部の固定具ｐはピンとしたが、フード部２０に設けられた突起としても実施できる。また、補助支持部は、フード部２０と眼鏡１の構成が図示したものと逆であっても実施できる。
【００３７】
前記の実施の形態において、嵌合部２５の上支持部２５ａは、嵌合部２５の上面であり、上方のブリッジ１３に沿って伸びる面とした。但し、嵌合部２５の上支持部２５ａは、嵌合部２５の上面に設けられて上方のブリッジ１３に沿って配列された複数の突起としてもよい。嵌合部２５の下支持部２５ｂについても、前記と同様複数の突起としてもよい。左右の支持部２５ｃ，２５ｄについても複数の突起としてもよい。
【００３８】
前記の実施の形態において、本願発明に係る眼鏡類として、眼鏡を例示したが、眼鏡以外に、ファッション用サングラス、スポーツ用サングラス、スポーツ用ゴーグル、ドライアイ対策用眼鏡、花粉症対策用眼鏡、防塵用眼鏡、医療用眼鏡、遮光用眼鏡など種々の眼鏡類に実施することが可能である。
【符号の説明】
【００３９】
１    眼鏡
２    フード
１１  左右レンズ
１１  レンズ
１２  リム
１３  上方のブリッジ
１４  下方のブリッジ
１５  テンプル
２０  フード部
２１  レンズ受部
２５  嵌合部
【図１】
0003179031.tif 000003
【図２】
0003179031.tif 000004
【図３】
0003179031.tif 000005
【図４】
0003179031.tif 000006